(57)【要約】  【課題】  陳列される複数の棒状商品どうしが干渉するのを防いで、確実に保持することができると共に、見栄えよく筆記具等の棒状商品を陳列することができ、且つ製造コストを低減することができる棒状商品用陳列具を提供する。  【解決手段】  厚紙又は薄肉の合成樹脂板からなるケース本体１と、ケース本体１の内側に取り付けられ、棒状商品を保持する保持部材３とを備えた棒状商品用陳列具１０において、ケース本体１には、複数の棒状商品挿入孔２が形成されていると共に、保持部材３には、ケース本体１の棒状商品挿入孔２に連通する複数の棒状商品保持孔５が形成されており、ケース本体１の棒状商品挿入孔２の内径２ａは、保持部材３の棒状商品保持孔５の開口部７の内径７ａよりも小さくなるように形成されている。【選択図】図３
0003188294.tif 000002
【実用新案登録請求の範囲】
【請求項１】
厚紙又は薄肉の合成樹脂板からなるケース本体と、該ケース本体の内側に取り付けられ、棒状商品を保持する保持部材とを備えた棒状商品用陳列具において、
前記ケース本体には、複数の棒状商品挿入孔が形成されていると共に、前記保持部材には、前記ケース本体の棒状商品挿入孔に連通する複数の棒状商品保持孔が形成されており、
前記ケース本体の棒状商品挿入孔の内径は、前記保持部材の棒状商品保持孔の開口部の内径よりも小さくなるように形成されていることを特徴とする棒状商品用陳列具。
【請求項２】
保持部材は、ケース本体に接着剤又は両面テープによって固着されていることを特徴とする請求項１に記載の棒状商品用陳列具。
【請求項３】
ケース本体と保持部材との間に、複数の棒状商品挿通孔が形成されたスペーサ部材を介在させ、該スペーサ部材の棒状商品挿通孔は、ケース本体の棒状商品挿入孔と保持部材の棒状商品保持孔とに連通すると共に、前記ケース本体の棒状商品挿入孔の内径は、前記スペーサ部材の棒状商品挿通孔の内径よりも小さくなるように形成されていることを特徴とする請求項１に記載の棒状商品用陳列具。
【請求項４】
スペーサ部材の上面は、ケース本体に接着剤又は両面テープによって固着されていると共に、スペーサ部材の下面は、保持部材に接着剤又は両面テープによって固着されていることを特徴とする請求項３に記載の棒状商品用陳列具。
【請求項５】
保持部材は、弾性を備えた合成樹脂材にて成形されており、棒状商品保持孔は、中間部の内径が開口部の内径よりも小さくなるように形成されていることを特徴とする請求項１〜４のいずれか１項に記載の棒状商品用陳列具。
【請求項６】
ケース本体は、１枚の厚紙又は薄肉の合成樹脂板を箱状に組み立てて形成されていることを特徴とする請求項１〜５のいずれか１項に記載の棒状商品用陳列具。
【考案の詳細な説明】
【技術分野】
【０００１】
本考案は、ボールペンや万年筆等の筆記具、口紅やリップスティック等の化粧品、プラグ等の棒状商品を１本ずつ孔に挿入させて販売のために陳列する棒状商品用陳列具に関するものである。
【背景技術】
【０００２】
棒状商品用陳列具の従来例として、ケース本体に、筆記具に応じて選択されるスペーサを着脱交換可能に装着された発明が知られている（特許文献１）。この陳列具は、スペーサに筆記具の軸筒外周に倣う筆記具挿入孔が形成されていて、スペーサを交換することによって、軸筒外径や軸筒外周面形状が異なる筆記具を装着可能にするものであった。
【先行技術文献】
【特許文献】
【０００３】
【特許文献１】特開２００４−１３０６２６号公報
【考案の概要】
【考案が解決しようとする課題】
【０００４】
上記従来の陳列具は、陳列される複数の筆記具どうしが干渉するのを防いで、確実に保持することができると共に、ケース本体を再利用することができるという観点からは優れたものであったが、近年の筆記具の販売形態として新しい筆記具を販売する場合には、陳列具のケース本体のデザインも一新する場合が多く、頑丈なケース本体はコスト高となることから敬遠されがちであり、むしろ使い捨てでコスト安な陳列具が求められていた。
【０００５】
本考案は、上記課題を解決する為になされたものであり、陳列される複数の棒状商品どうしが干渉するのを防いで、確実に保持することができると共に、見栄えよく筆記具等の棒状商品を陳列することができ、且つ製造コストを低減することができる棒状商品用陳列具を提供することを目的としている。
【課題を解決するための手段】
【０００６】
上記従来の課題を解決する為に、請求項１の棒状商品用陳列具の考案は、厚紙又は薄肉の合成樹脂板からなるケース本体と、該ケース本体の内側に取り付けられ、棒状商品を保持する保持部材とを備えた棒状商品用陳列具において、前記ケース本体には、複数の棒状商品挿入孔が形成されていると共に、前記保持部材には、前記ケース本体の棒状商品挿入孔に連通する複数の棒状商品保持孔が形成されており、前記ケース本体の棒状商品挿入孔の内径は、前記保持部材の棒状商品保持孔の開口部の内径よりも小さくなるように形成されていることを特徴としている。したがって、ケース本体を厚紙又は薄肉の合成樹脂板で形成したことによって、製造コストの低減を図ることができる。また、保持部材によって棒状商品どうしが干渉するのを防ぐことができる。さらに、棒状商品挿入孔の内径を棒状商品保持孔の開口部の内径よりも小さくしたことによって、見栄えが良くすることができる。
【０００７】
また、請求項２の考案は、請求項１の棒状商品用陳列具において、保持部材は、ケース本体に接着剤又は両面テープによって固着されていることを特徴としている。棒状商品挿入孔の内径を棒状商品保持孔の開口部の内径よりも小さくしているので、接着剤又は両面テープによって、固着した場合に、棒状商品挿入孔の周縁に接着剤又は両面テープが付着するのを防ぐことができ、陳列される棒状商品が汚れるのを防ぐことができる。
【０００８】
また、請求項３の考案は、請求項１の棒状商品用陳列具において、ケース本体と保持部材との間に、複数の棒状商品挿通孔が形成されたスペーサ部材を介在させ、該スペーサ部材の棒状商品挿通孔は、ケース本体の棒状商品挿入孔と保持部材の棒状商品保持孔とに連通すると共に、前記ケース本体の棒状商品挿入孔の内径は、前記スペーサ部材の棒状商品挿通孔の内径よりも小さくなるように形成されていることを特徴としている。したがって、スペーサ部材の棒状商品挿通孔を外部から視認されることがないので、見栄えを良くすることができる。
【０００９】
また、請求項４の考案は、請求項３の棒状商品用陳列具において、スペーサ部材の上面は、ケース本体に接着剤又は両面テープによって固着されていると共に、スペーサ部材の下面は、保持部材に接着剤又は両面テープによって固着されていることを特徴としている。棒状商品挿入孔の内径を棒状商品挿通孔の内径よりも小さくしているので、接着剤又は両面テープによって、固着した場合に、棒状商品挿入孔の周縁に接着剤又は両面テープが付着するのを防ぐことができ、陳列される棒状商品が汚れるのを防ぐことができる。
【００１０】
また、請求項５の考案は、請求項１〜４のいずれかの棒状商品用陳列具において、保持部材は、弾性を備えた合成樹脂材にて成形されており、棒状商品保持孔は、中間部の内径が開口部の内径よりも小さくなるように形成されていることを特徴としている。したがって、保持部材によって棒状商品を確実に保持することができ、棒状商品用陳列具に陳列された棒状商品どうしが干渉するのを確実に防ぐことができる。
【００１１】
また、請求項６の考案は、請求項１〜５のいずれかの棒状商品用陳列具において、ケース本体は、１枚の厚紙又は薄肉の合成樹脂板を箱状に組み立てて形成されていることを特徴としている。箱状に組み立てることによって、棒状商品の寸法に対応した高さのケース本体を簡易に製作することができ、製造コストの低減を図ることができる。
【考案の効果】
【００１２】
請求項１の考案では、ケース本体を厚紙又は薄肉の合成樹脂板で形成したことによって、製造コストの低減を図ることができる。また、保持部材によって棒状商品どうしが干渉するのを防ぐことができる。さらに、棒状商品挿入孔の内径を棒状商品保持孔の開口部の内径よりも小さくしたことによって、見栄えを良くすることができる。
【００１３】
また、請求項２の考案では、棒状商品挿入孔の周縁に接着剤又は両面テープが付着するのを防ぐことができ、陳列される棒状商品が汚れるのを防ぐことができる。
【００１４】
さらに、請求項３の考案では、スペーサ部材の棒状商品挿通孔を外部から視認されることないので、見栄えを良くすることができる。
【００１５】
また、請求項４の考案では、棒状商品挿入孔の周縁に接着剤又は両面テープが付着するのを防ぐことができ、陳列される棒状商品が汚れるのを防ぐことができる。
【００１６】
さらに、請求項５の考案では、保持部材によって棒状商品を確実に保持することができ、棒状商品用陳列具に陳列された棒状商品どうしが干渉するのを確実に防ぐことができる。
【００１７】
また、請求項６の考案では、箱状に組み立てることによって、棒状商品の寸法に対応した高さのケース本体を簡易に製作することができ、製造コストの低減を図ることができる。
【図面の簡単な説明】
【００１８】
【図１】本考案に係る棒状商品用陳列具を示す斜視図である。
【図２】本考案に使用する保持部材の斜視図である。
【図３】本考案の第１実施形態を示す一部断面図である。
【図４】本考案の第２実施形態に使用するスペーサ部材の斜視図である。
【図５】本考案の第２実施形態を示す一部断面図である。
【図６】トムソン刃で孔を形成する状態を示す説明図である。
【図７】中間部材を示す斜視図である。
【図８】本考案の第３実施形態を示すケース本体の展開図である。
【考案を実施するための形態】
【００１９】
次に、本考案の実施形態を図面に基づいて説明する。図１は、本考案に係る棒状商品用陳列具を示す斜視図である。また、図２は、本考案に使用する保持部材の斜視図である。さらに、図３は本考案の第１実施形態を示す一部断面図である。これらの図を用いて本考案の第１実施形態を説明する。
【００２０】
第１実施形態の棒状商品用陳列具１０は、ケース本体１が厚紙又は薄肉の合成樹脂板から形成されている。そして、図１に示すように、ケース本体１の上面１ａには、複数の棒状商品挿入孔２，２・・・が形成されている。また、ケース本体１の上面１ａの反対側の面に、図３に示すように、棒状商品を保持する保持部材３の上面３ａが接着剤又は両面テープ４によって固着されている。
【００２１】
保持部材３は、弾性を備えた合成樹脂材にて成形されており、図２に示すように、複数の棒状商品保持孔５，５・・・が形成されている。尚、保持部材３の厚みは、保持される棒状商品の長さに対応して適宜変更される。また、図３に示すように、保持部材３の棒状商品保持孔５は、中間部６の内径６ａが開口部７の内径７ａよりも小さくなるように形成することができる。このように構成することによって、中間部６の内径６ａを棒状商品の外径に対応させるように設計すれば、保持部材３によって棒状商品を確実に保持することができる。尚、棒状商品保持孔５の開口部７の内径７ａと中間部６の内径６ａとを等しくする構成とした場合も本考案に含まれるものである。
【００２２】
さらに、図３に示すように、ケース本体１の棒状商品挿入孔２の内径２ａは、保持部材３の棒状商品保持孔５の開口部７の内径７ａよりも小さくなるように形成され、棒状商品挿入孔２と棒状商品保持孔５は連通している。したがって、接着剤又は両面テープ４を保持部材３の上面３ａに塗布又は貼付した後、ケース本体１に固着した場合に、接着剤又は両面テープ４がケース本体１の棒状商品挿入孔２の周縁に付着することはない。また、接着剤又は両面テープ４が保持部材３の棒状商品保持孔５の開口部７周辺に付着したとしても棒状商品に付着するのを防ぐことができる。
【００２３】
図４は、本考案の第２実施形態に使用するスペーサ部材の斜視図である。また、図５は、本考案の第２実施形態を示す一部断面図である。また、図６は、トムソン刃によってスペーサ部材と保持部材とに孔を形成する状態を示す説明図である。さらに、図７は、保持部材にスペーサ部材を固定した中間部材を示す斜視図である。これらの図を用いて本考案の第２実施形態を説明する。
【００２４】
スペーサ部材８は、上面８ａから下面８ｂに貫通する複数の棒状商品挿通孔９，９・・・が形成されている。このスペーサ部材８は、腰のある厚紙を使用しており、図５に示すように、ケース本体１と保持部材３との間に接着剤又は両面テープ４ａ、４ｂを介して固定されている。また、棒状商品挿通孔９は、保持部材３の棒状商品保持孔５とは、平面方向から見た場合の位置及び大きさが一致するようにして固定されている。
【００２５】
ケース本体１と保持部材３との間にスペーサ部材８を介在させる理由は、以下のとおりである。即ち、保持部材３に複数の棒状商品保持孔５を形成する場合に、打ち抜き刃としてトムソン刃１１を使用することとなるが、その場合には、ケース本体１への固定の容易さを考慮して、予め、保持部材３の上面に接着剤又は両面テープ４ａが付着している状態にしている。この状態でトムソン刃１１によって打ち抜いた場合には、トムソン刃１１に接着剤又は両面テープ４ａの一部が付着することとなり、さらに、保持部材３の棒状商品保持孔５の内壁にも接着剤又は両面テープ４ａが付着することとなる。したがって、その都度トムソン刃１１を洗浄する必要があり、棒状商品用陳列具を大量生産することは困難となる。
【００２６】
そこで、図６に示すように、予め、保持部材３に接着剤又は両面テープ４ａを介してスペーサ部材８を固定した中間部材１２を作成しておき、この中間部材１２のスペーサ部材８側の上面８ａからトムソン刃１１により打ち抜くことによって、棒状商品挿通孔９と棒状商品保持孔５とを形成するようにしている。この場合には、トムソン刃１１の先端は、腰のある厚紙によって形成されているスペーサ部材８の上面８ａに最初に当ることとなるので、打ち抜いた状態のトムソン刃１１に接着剤又は両面テープ４ａが付着するのを防ぐことができることとなり、図７に示す中間部材１２を大量に製造することができ、棒状商品用陳列具の大量生産を可能としている。
【００２７】
尚、図６において、スペーサ部材８の上面８ａと保持部材３の下面３ｂの両面を圧縮する方向に圧力を加えると、弾性を備えた合成樹脂材にて成形されている保持部材３は、中間部が矢印Ａの方向に膨らんで弾性変形した状態となる。この状態で、中間部材１２のスペーサ部材８側の上面８ａからトムソン刃１１により打ち抜いた後、スペーサ部材８の上面８ａと保持部材３の下面３ｂの両面を圧縮する方向の圧力を取り除くと、保持部材３は、弾性変形した状態からもとの状態へと戻ると共に、図３で説明したのと同様に、保持部材３の棒状商品保持孔５を、中間部の内径が開口部の内径よりも小さくなるように形成することができる。
【００２８】
図８は、本考案の第３実施形態を示すケース本体の展開図である。図８に示すように、ケース本体１３は、厚紙又は薄肉の合成樹脂板から形成されているので、予め、箱型に組み立てることができるように成形することができる。そして、点線箇所１４で谷折りすることができるように、予め、点線箇所１４に折り曲げ部を形成しておき、図７に示した中間部材１２を設置する際に、中間部材１２の角部が位置する場所に位置決めの印１５を印刷しておけばよい。
【００２９】
図８に示すように、ケース本体１３を平板状にしておけば、嵩張ることなく積み重ねることができる。したがって、棒状商品用陳列具を必要としている小売店等に輸送する場合には、ケース本体１３と中間部材１２とを分離した状態で輸送し、小売店等において組み立ててもらうようにすることも可能となる。
【産業上の利用可能性】
【００３０】
本考案に係る棒状商品用陳列具は、棒状の商品を複数陳列して販売するための道具として使用される。
【符号の説明】
【００３１】
１、１３  ケース本体
２  棒状商品挿入孔
３  保持部材
４  接着剤又は両面テープ
５  棒状商品保持孔
６  中間部
７  開口部
８  スペーサ部材
９  棒状商品挿通孔
１０  棒状商品用陳列具
１１  トムソン刃
１２  中間部材
１４  点線箇所
１５  位置決めの印
【図１】
0003188294.tif 000003
【図２】
0003188294.tif 000004
【図３】
0003188294.tif 000005
【図４】
0003188294.tif 000006
【図５】
0003188294.tif 000007
【図６】
0003188294.tif 000008
【図７】
0003188294.tif 000009
【図８】
0003188294.tif 000010